Podtech/llm-jp-corpus-v4-ja_patent huggingface dataset:
(57)【要約】      （修正有）【課題】網部分を単独で脱着交換でき、しかも衝撃を受けた際にも窓枠が外れず、安定した取付け状態が得られるゴルフカート用網窓を提供する。【解決手段】網部品１を連結具２にてフレーム３に取付け、着脱可能な機構とすることにより、網部分とフレーム部分を別個に交換することを可能としている。また、ゴルフカートに備わっているボルトにて取付けた固定金具４によって網窓をカートに固定し、衝撃を受けた場合でも網窓自体が外れることを防止している。【選択図】図１
0003224814.tif 000002
【実用新案登録請求の範囲】
【請求項１】
フレームを乗用ゴルフカートのフロントシールド開口部に組付け、該フレームに連結具にて脱着交換可能な網部品を取付けられる機構を特徴とするゴルフカート用網窓。
【請求項２】
請求１記載の網窓を安定的に固定する為、該網窓の固定金具をゴルフカート自体のボルトを利用し、取付ける構造を特徴とする請求１記載の網窓。
【考案の詳細な説明】
【技術分野】
【０００１】  この考案は、開口可能な乗用ゴルフカートのフロントシールドの開口部を対象の窓枠として、取付けることを可能にした網窓に関するものである。
【背景技術】
【０００２】  従来、ゴルフカート用網窓は、網部分が縫製によりフレームに固定され、網部分、又はフレームのみを単独で交換することが出来ず、又カートへの取付け方法も固定金具を使用しない為、不安定な取付け構造となっていた。
【考案の概要】
【考案が解決しようとする課題】
【０００３】  網窓の一部分が損傷、又は破損した場合、該破損部品のみを交換することが出来ない為、網窓全体を再購入する必要があり、経済的負担が大きく、又、網窓をしっかりと固定し取付ける機構となっていない為、衝撃によって外れてしまう可能性を有するという問題があった。
【課題を解決するための手段】
【０００４】  網部品を連結具にてフレームに取付け、着脱可能な機構とすることにより、網部分とフレーム部分を別個に交換することを可能としている。また、ゴルフカートに備わっているボルトにて取付けた固定金具によって網窓をカートに固定し、衝撃を受けた場合でも網窓自体が外れることを防止し、問題を解決している。
【考案の効果】
【０００５】  上述の様に、本考案の網窓は、網部分を連結具にてフレーム部分より着脱することを可能としている為、網部分、又はフレーム部分が損傷、又は破損した場合、個別に交換することが出来、製品全体を新たに購入し直す必要がない為、経済的な負担を軽減することが出来る。【０００６】  又、ゴルフカートに備わっているボルトを利用し、固定金具によるカートへの取付けを行う為、衝撃を受けた際に網窓が動き外れることを防止する効果を有している。
【図面の簡単な説明】
【０００７】
【図１】本考案網窓の取付け状態を示す正面図。
【図２】フレーム単体を示す正面図。
【図３】フレームへの連結具を含む網部品を展開した状態を示す正面図。
【図４】固定金具単体を示す正面図。
【考案を実施するための形態】
【０００８】  この考案は、開口可能なフロントシールドを有する乗用ゴルフカートのシールド開口部に取付け実施する。具体的な実施形態について以下に図１の内容を用いて説明する。
１は網部分であり、３のフレームに、２のマジックテープ、ファスナー、又はボタン等の脱着が可能となる連結具により組付ける。
【０００９】  ４は網窓を取付ける為の固定金具である。ゴルフカート自体に備わっているボルトを利用して該金具を嵌め込み、網窓を固定する位置を調節し、シールド開口部に固定する。
【符号の説明】
【００１０】１      網部品
２      連結具
３      フレーム
４      固定金具
【図１】
0003224814.tif 000003
【図２】
0003224814.tif 000004
【図３】
0003224814.tif 000005
【図４】
0003224814.tif 000006
(57)【要約】      （修正有）【課題】まつ毛についたマスカラがとれることなく、まつ毛カールを素早く行うことができ、メイクアップの時間を短縮することができるまつ毛カーラーを提供する。【解決手段】まつげを挟んで曲げるための金属板にシリコーンコーティングを施した。【選択図】図１
0003224811.tif 000002
【実用新案登録請求の範囲】
【請求項１】
まつげを挟んで曲げる為の金属板にシリコーンコーティングを施した事を特徴とするまつげカーラー
【考案の詳細な説明】
【技術分野】
【０００１】本考案はまつげをカールするまつげカーラーに関するものである。
【背景技術】
【０００２】従来のまつげカーラーはまつ毛を弾性の合成ゴムと金属板で挟んで曲げる構造のものが多い。
【考案の開示】
【考案が解決しようとする課題】
【０００３】従来のまつげカーラーでまつ毛を挟んだときに  まつ毛にほどこしたマスカラがまつげカーラーの金属板に付着して  とれてしまう事が起きる場合がある。
【課題を解決するための手段】
【０００４】本考案のまつげを挟んで曲げるための金属板にシリコンコーティングを施した事を特徴とするまつ毛カーラーを提供する。
【考案の効果】
【０００５】本考案のまつ毛カーラーでマスカラのついたまつげを挟んだ場合  従来のまつ毛カーラーと違って  マスカラがシリコンコーティングを施した金属板には付着しにくいのでまつ毛についたマスカラがとれることなく  まつ毛を曲げることができる。
【実施例】
【０００６】本考案のまつげカーラー［図１］は［図２］のように弾性体とシリコンコーティングを施した金属板でまつ毛を挟むので  まつ毛に施されたマスカラは直接金属板に触れる事無く  取れることがない。
【産業上の利用可能性】
【０００７】本考案のまつ毛カーラーはまつ毛のマスカラがとれないので  まつ毛カールを素早く行うことができ  メイクアップの時間を短縮することができる。
【図面の簡単な説明】
【０００８】
【図１】本考案のまつげカーラー
【図２】本考案のまつ毛カーラーの弾性部とシリコンコーティングを施した金属板
【図１】
0003224811.tif 000003
【図２】
0003224811.tif 000004
(57)【要約】      （修正有）【課題】多角形の把手ポール両サイドの、片方端に耳孔内の垢を除去する硬質樹脂凸球状ツール部位と、もう片方端に耳孔内の痒みクリーニング解消と垢の残滓を除去する軟質樹脂凸球状ツール部位を設けたファンクション構造のユニバーサル・デザイン耳孔グッズを提供する。【解決手段】断面が多角形の把手ポール硬質樹脂両サイドの、片方端の、耳孔内の垢を除去する小さな硬質樹脂凸突起物を硬質樹脂球状ベース本体部位３６０°全表面に数多く設けた球状構造。【選択図】図１
0003224858.tif 000002
【実用新案登録請求の範囲】
【請求項１】
多角形の把手ポ‐ル硬質樹脂両サイドの、片方端の、耳孔内の垢を除去する硬質球状ベ‐ス本体部位３６０°表面に小さな硬質樹脂凸突起物を数多く設けた球状構造を特徴とするユニバ‐サル・デザイン耳孔グッズ。
【請求項２】
多角形の把手ポ‐ル硬質樹脂両サイドの、もう片方端の、耳孔内の痒みクリ‐ニング解消と、垢の残滓を除去する軟質樹脂球状ベ‐ス本体部位３６０°表面に、微細な軟質樹脂凸突起物を無数に設けた球状構造を特徴とする請求項１記載のユニバ‐サル・デザイン耳孔グッズ。
【請求項３】
把手ポ‐ル硬質樹脂が多角形を特徴とする請求項２記載のユニバ‐サル・デザイン耳孔グッズ。
【考案の詳細な説明】
【技術分野】
【０００１】本考案は耳孔グッズのツ‐ル形状ファンクション構造に係わる。
【背景技術】
【０００２】耳掻き耳孔グッズは多数マ‐ケットに流通している。だが子供や、手首や手の不自由な方や、機能低下の高齢者がイ‐ジ‐安心安全に使用できる耳掻き耳孔グッズは見当たらない。
【考案の概要】
【考案が解決しようとする課題】
【０００３】把手ポ‐ル両サイドの片方端は耳孔内の垢除去の球状ツ‐ルで、もう片方端は耳孔内の痒みクリニ‐グ解消と耳孔内の垢残滓除去の球状ツ‐ルを設けた耳孔グッズ。
【課題を解決するための手段】
【０００４】把手ポ‐ル両サイドの片方端は小さな硬質樹脂凸突起物を数多く設けた球状の耳孔ツ‐ルと、もう片方端は微細な軟質樹脂凸突起物を無数に設けた球状の耳孔ツ‐ルのユニバ‐サル・デザイン耳孔ズッズ。【０００５】多角形の把手ポ‐ル硬質樹脂部位の握り方は一方向ではなく３６０°全方位から自由自在に握ってイ‐ジ‐安心安全に使用できるユニバ‐サル・デザイン耳孔グッズ。
【考案の効果】
【０００６】多角形の把手ポ‐ル硬質樹脂両サイドの耳孔ツ‐ルは硬質樹脂と軟質樹脂の凸突起物球状の二種類に分かれた耳孔ツ‐ルで、多角形の把手ポ‐ル硬質樹脂部位は一方向ではなく３６０°全方位から自由自在に親指と人差指または親指と中指で挟んでロ‐リング回転するだけで使用可能の子供や、手首や手の不自由な方や、機能低下の高齢者がイ‐ジ‐安心安全に耳孔内の垢除去や、耳孔内の痒みクリ‐ニングや垢の残滓除去が出来る。使用後の清掃はティッシュで拭き取る又は水洗いイ‐ジ‐完了で再利用化のリ‐ズナブルなユニバ‐サル・デザイン耳孔グッズ。
【図面の簡単な説明】
【０００７】
【図１】耳孔グッズの左右側面全体図
【図２】耳孔グッズの正背面全体図
【図３】耳孔グッズの垢除去ツ‐ル球状部位を拡大した左右側面図と、正背面図と、平底面図
【図４】耳孔グッズ痒みクリ‐ニング解消部位と垢の残滓除去ツ‐ル球状部位を拡大した左右側面図と、正背面図と、平底面図
【図５】多角形の把手ポ‐ル部位を拡大した断面図
【符号の説明】
【０００８】１・・耳孔内の垢を除去する硬質樹脂球状ベ‐ス本体部位
２・・硬質樹脂球状ベ‐ス本体部位表面３６０°に小さな硬質樹脂凸突起物を数多く設けた耳孔内の垢を除去する硬質樹脂ツ‐ル部位
３・・多角形の把手ポ‐ル硬質樹脂部位
４・・耳孔内の痒みクリ‐ニング解消と垢の残滓を除去する軟質樹脂球状ベ‐ス本体部位
５・・軟質樹脂球状ベ‐ス本体部位表面３６０°に微細な軟質樹脂凸突起物を無数に設けた耳孔内の痒みクリ‐ニング解消と耳孔内の垢の残滓を除去する軟質樹脂ツ‐ル部位
【図１】
0003224858.tif 000003
【図２】
0003224858.tif 000004
【図３】
0003224858.tif 000005
【図４】
0003224858.tif 000006
【図５】
0003224858.tif 000007
【手続補正書】
【提出日】令和1年10月21日(2019.10.21)
【手続補正１】
【補正対象書類名】実用新案登録請求の範囲
【補正対象項目名】全文
【補正方法】変更
【補正の内容】
【実用新案登録請求の範囲】
【請求項１】
断面が多角形の把手ポ‐ル硬質樹脂両サイドの、片方端の、耳孔内の垢を除去する小さな硬質樹脂凸突起物を硬質樹脂球状ベ‐ス本体部位３６０°全表面に数多く設けた球状構造を特徴とするユニバ‐サル・デザイン耳孔グッズ。
【請求項２】
断面が多角形の把手ポ‐ル硬質樹脂両サイドの、もう片方端の、耳孔内のクリ‐ニング痒み解消と、垢の残滓を除去する微細な軟質樹脂凸突起物を硬質樹脂球状ベ‐ス本体部位３６０°全表面に、無数に設けた球状構造を特徴とする請求項１記載のユニバ‐ル・デザイン耳孔グッズ。
【請求項３】
把手ポ‐ル硬質樹脂部位の断面が多角形を特徴とする請求項２記載のユニバ‐サル・デザイン耳孔グッズ。
(57)【要約】      （修正有）【課題】面に強い衝撃を受けても目保護板が外れることがなく、安心して練習に励むことができる剣道用面を提供する。【解決手段】剣道用面において、面金の基端部の面金との接触部に、面金を構成する少なくとも１つのフレーム１２に符合する窪み２１を設けた目保護板２０を設けた構成とする。【選択図】図３
0003224873.tif 000002
【実用新案登録請求の範囲】
【請求項１】
目の高さの一定幅であって、面金の両基端部に渡って目保護板を配置した剣道用面において、
前記基端部の面金との接触部に、前記面金を構成する少なくとも１つのフレームに符号する窪みを設けた目保護板を備えたことを特徴とする剣道用面。
【考案の詳細な説明】
【技術分野】
【０００１】
本考案は剣道用面に関し、特に、目防護板を備えた剣道用面に関するものである。
【背景技術】
【０００２】
剣道面は頭部と首から肩を防御する頭巾の前面に面金を設けている。
【０００３】
面金は後に詳しく説明するように、複数のフレームよりなる横格子と、各フレームを補強する縦リブで構成されている。当該面金の内側で、前記頭巾の前面の左右両端に渡って目の位置に、透明の樹脂板を配置して、竹刀の破片等が飛散したときに目を保護する保護板としている（特許文献１参照）。
【先行技術文献】
【特許文献】
【０００４】
【特許文献１】実開昭５９−８７８７４号公報
【考案の概要】
【考案が解決しようとする課題】
【０００５】
前記保護板は、頭巾前端の目の位置であって、前記フレームの基端が埋め込まれている枠体の左右両端の距離よりも長い透明樹脂板を前方に湾曲させて、当該合成樹脂の弾性を利用して、面金の間で保持する構造になっている。
【０００６】
ここで前記目保護板は単純に樹脂板の弾性でのみ、両側の面金（フレーム）の基端に押し付けて保持するようになっているので、竹刀の打ち込みで強い衝撃があったときに、外れることがあり、同時に竹刀の破片等が目に当たることがある。
【０００７】
本考案は、上記従来の事情に鑑みて提案されたものであって、目の保護をする防護板が外れない剣道用面を提供することを目的とするものである。
【課題を解決するための手段】
【０００８】
本考案は目保護板を配置した剣道用面を前提としている。
【０００９】
前記剣道用面において、面金の基端部の面金との接触部に、前記面金を構成する少なくとも１つのフレームに符合する窪みを設けた目保護板を設けた構成とする。
【考案の効果】
【００１０】
上記構成により、面に強い衝撃を受けても目保護板が外れることがなく、安心して練習に励むことができる。
【図面の簡単な説明】
【００１１】
【図１】本考案の適用される剣道用面。
【図２】本考案の目保護板を示す図。
【図３】本考案の目保護板の取り付け状態平面図。
【図４】図３Ａ-Ａ’断面図。
【考案を実施するための形態】
【００１２】
図１は、本考案が適用される剣道用の面の概観を示すものである。
【００１３】
頭部、側頸部および肩を覆う頭巾１の、装着者の顔に対応する部分の前端に面金を装着するための枠２が取り付けられ、図４に示すように当該枠２の内側に所定幅奥に渡って衝撃緩衝材３が、頭部の周囲を防御するように装着されている。また、喉に対応する部分には、喉を保護する垂れ４が設けられている。
【００１４】
前記枠２には顔の縦方向中央に一本のリブ１１を通し、横方向に、前記枠２で両端が支えられるとともに、中央を前記リブ１１で支えられた複数本のフレーム１２が渡されて面金１０を構成する。
【００１５】
上記構成の剣道用の面において、更に、前記面金１０の内側で、使用者の目の位置に目保護板２０が以下のように取り付けられる。
【００１６】
前記目保護板２０の剣道用面への取り付け前は、図２に示すように前記枠２のフレーム１２の左右の取り付け位置の間の距離よりも長い横幅で、目の位置を一定幅で覆う透明樹脂よりなり、前記目保護板２０の両端縁２２の前記フレーム１２の取り付け位置に対応して窪み２１を設けるようにしている。また、使用者の鼻に対応する部分は、当該鼻を避けるように、下縁２３がやや上方向に切り込まれている。
【００１７】
このように両端縁２２に窪み２１を設けた目保護板２０を、図３に示すように横方向の幅を縮めるように、手あるいは器具で合成樹脂の弾性に抗して湾曲させ、両端縁２２を前記枠１１の前面であって、前記フレーム１２の取り付け位置に符合させて、前記手あるいは器具から目保護板２０を開放すると、前記窪み２１が前記フレーム１２に嵌り込んで位置を固定することになる。
【００１８】
これによって目保護板２０は、強い衝撃があっても外れることなく練習や試合を続行することができる。
【００１９】
上記窪み２１は、図２、図３では１つのフレーム１２に対応して左右に一対設けられているが、複数のフレーム１２に対応して複数対設けてもよいことはもちろんである。
【産業上の利用可能性】
【００２０】
以上説明したように、本考案は目保護板が外れないようになっているので、安全氏が重視される学校のクラブ活動等で利用されることが予測される。
【符号の説明】
【００２１】
１    頭巾
２    枠
３    衝撃緩衝材
４    垂れ
１０  面金
１１  リブ
１２  フレーム
２０  目保護板
２１  窪み
２２  両端縁
２３  下縁
【図１】
0003224873.tif 000003
【図２】
0003224873.tif 000004
【図３】
0003224873.tif 000005
【図４】
0003224873.tif 000006
(57)【要約】      （修正有）【課題】罠に掛かったイノシシを処分するイノシシ撲殺棒を提供する。【解決手段】撲殺棒２の柄の先端に金属製のパイプ１をネジ釘３で取り付け、撲殺棒の手前には滑り止めのカバー４を設置する。撲殺棒の柄は、金属製のパイプの差し込みによる伸縮が自由な柄であることが好ましい。罠に掛かったイノシシの鼻骨を撲殺棒で破壊する、続いて頭蓋骨を砕いて死滅させる。【選択図】図１
0003224865.tif 000002
【実用新案登録請求の範囲】
【請求項１】
棒殺棒２の柄、の先端に金属製のパイプ１をネジ釘３で取り付け、撲殺棒２の手前には滑り止めのカバー４を設置するイノシシ撲殺棒。
【請求項２】
撲殺棒２の柄が金属製のパイプ大５と、金属製のパイプ６の差し込みによる伸縮が自由な柄である、イノシシ撲殺棒。
【考案の詳細な説明】
【技術分野】
【０００１】本考案は、足くくり罠にかかった獰猛なイノシシを、至近距離から撲殺するための工具である。
【背景技術】
【０００２】従来よりイノシシ罠は吊り上げ罠だったが、危険な罠として禁止され行政指導のもとで足くくり罠に変更された。
【考案の概要】
【考案が解決しようとする課題】
【０００３】過去の吊り上げ罠では、イノシシの殆どが死んでいた、しかし、足くくり罠では平然として異常はみられない，近寄りがたく罠としての役割をはたしていない。【０００４】罠にかかったイノシシは「長い槍で突きなさい」と指導しているが、槍で突いた途端に吹き飛ばされる、危険この上もない。【０００５】罠にかかったイノシシの右前足と対角線上の左後足をワイヤーでくくり、近くの木に括り付け、こうしてイノシシを宙吊りにして急所を鋭利な刃物で刺すが、時間がかかり危険でもある。
【課題を解決するための手段】
【０００６】まづイノシシの顔面の鼻を撲殺棒で数回殴って、鼻骨を砕き窒息状態にする、続いて頭蓋骨を砕き死滅させる。
【考案の効果】
【０００７】銃で射殺するこれが安全で迅速で最も良い処置方法だが、銃所持許可がないと、それが出来ない、そこで撲殺棒でたたき殺す。
【図面の簡単な説明】
【０００８】
【図１】  本考案の撲殺棒の側面図である。
【図２】  撲殺棒の先端の金属部分の断面図である。
【図３】  撲殺棒の柄が抜き差し可能な金属製パイプの側面図である。金属パイプの５の内径大きさが、６の外形に大きさに等しく、短縮可能なパイプの柄である。
【考案を実施するための最良の形態】
【実施例】
【０００９】撲殺棒でイノシシの顔面や頭を殴り撲殺する。
【産業上の利用可能性】
【００１０】罠猟師の安全を守り、極めて簡易な処理道具である。
【符号の説明】
【００１１】１は撲殺棒の先端の金属製の金輪
２は撲殺棒の柄
３はネジ釘
４は滑り止めカバー
５は金属パイプ大
６は金属パイプ小
【図１】
0003224865.tif 000003
【図２】
0003224865.tif 000004
【図３】
0003224865.tif 000005
(57)【要約】      （修正有）【課題】スコップの柄を提供する。【解決手段】スコップ本体１の柄２の一端の又状部４の近くで、曲げ部３を設け、スコップ本体１の、すくう側７へ柄２を少し曲げた。【選択図】図１
0003224866.tif 000002
【実用新案登録請求の範囲】
【請求項１】
スコップ本体（１）で、スコップ本体（１）の柄（２）の一端の又状部（４）の近くで、曲げ部（３）を設け、スコップ本体（１）の、すくう側（７）へ少し曲げたことを特徴とするスコップの柄。
【考案の詳細な説明】
【技術の分野】
【０００１】本考案は、スコップの柄に関する。
【背影の分野】
【０００２】これまでも色々とスコップの柄も工夫されて出ていた。
【先行の技術】
【０００３】実登３２１２１５６、特開２００９−０９１８８１、特開２０１１−２４６９８０
特許５１９０１５３、特開２０１４−１４１８６
【考案の概要】
【考案が解決しようとする課題】
【０００４】これまでのスコップの柄では、柄の持ち手が、直線的な位置で左右の手で持っていた。それで、スコップで、壁際や障害物の際を掘ったりする場合、スコップの左右の持ち手が壁や障害物に、こすれて傷する危険があった。
【課題を解決する為の手段】
【０００５】図面にもとづいて説明します。（１）はスコップ本体。（２）は、柄で、スコップ本体（１）に接続してある。（３）は、柄（２）の曲げ部で柄（２）の一端で（４）の又状部の近くに設けて、スコップ本体（１）の、すくう側（７）へ少し曲げてある。（５）は握り部で、（６）は地面である。
【発明の効果】
【０００６】前述の如く、スコップ本体（１）の柄（２）の一端で、曲げ部（３）を、又状部（４）の近くで、すくう側（７）へ少し曲げて設けたことで握り部（５）を握る手が壁際や障害物の際を堀る時、壁や障害物で、握り部（５）を握る手がこすれて傷することなく安全に作業できる。
また、少し曲げ部（３）で柄（２）が、すくう側（７）へ少し曲がっていることで、スコップに体重を掛け易い。
更に、地面（６）にスコップ本体（１）を置いた場合、柄（２）の曲げ部（３）が曲がっていることで、握り部（５）が、地面（６）より上がっているから、握り部（５）に土が付かず汚れずに済むから作業が快適にできる。
【図面の簡単な説明】
【０００８】
【図１】図１は、本考案の斜視図である。
【図２】図２は、本考案の側面図である。
【産業上の利用の可能性】
【附号の説明】
（１）は、スコップ本体。
（２）は、柄
（３）は、曲げ部。
（４）は、又状部。
（５）は、握り部。
（６）は、地面
（７）は、すくう側。
【図１】
0003224866.tif 000003
【図２】
0003224866.tif 000004
(57)【要約】      （修正有）【課題】被災者がスマートフォンやパソコンなどでドローン会社や損害保険会社や工事会社に連絡し、ドローンを利用して損傷部分の撮影やブルーシートやネットやケーブルなどの工事の材料を運び、迅速に損傷の修復に対応できるシステムを提供する。【解決手段】システムは、ドローン会社や損害保険会社や工事会社の連絡先が予め登録されているスマートフォンやパソコンなどの通信機２と、通信機の操作で屋根や電柱などの損傷部分を撮影できる通信および撮影機能付きドローン１と、を備える。被災者がスマートフォンやパソコンで連絡をとり、ドローンで屋根や電柱などの損傷部分４を撮影し、その写真や映像データをインターネット経由でそれぞれの会社に送ることで、早期の現地撮影や、保険金の早期支払いや、工事材料の早期運搬により、損傷部分を早期に修復できる。【選択図】図１
0003224992.tif 000002
【実用新案登録請求の範囲】
【請求項１】
ドローン会社や損害保険会社や工事会社に連絡するスマートフォンやパソコンなどの通信機と、通信および撮影機能付きのドローンを備えたシステム。
【考案の詳細な説明】
【技術分野】
【０００１】
本考案は、災害時に予め登録しているドローン会社や損害保険会社や工事会社にスマートフォンやパソコンで連絡をとり、通信および撮影機能付きドローンで屋根や電柱などの損傷部分を撮影し、その写真や映像データをインターネット経由で予め登録しているドローン会社や損害保険会社や工事会社に送る通信システムに関するものである。
【考案の概要】
【考案が解決しようとする課題】
【０００２】
台風や地震などの災害時において家屋や建物では、屋根や電柱などの損傷の状況をすぐに発見・把握できず、工事会社や損害保険会社や電力会社等への連絡が遅れて、修復までに時間がかかる問題がある。従って、被災者はスマートフォンやパソコンなどでドローン会社や損害保険会社や工事会社に連絡し、ドローンを利用して損傷部分の撮影やブルーシートやネットやケーブルなどの工事の材料を運び、迅速に損傷の修復に対応する必要がある。
【課題を解決するための手段】
【０００３】
本考案は、被災者が予め登録しているドローン会社や損害保険会社や工事会社にスマートフォンやパソコンで連絡をとり、通信および撮影機能付きドローンで屋根や電柱などの損傷部分を撮影し、その写真や映像データをインターネット経由で予め登録しているドローン会社や損害保険会社や工事会社に送ることで、ドローンの早期の現地撮影や、保険金の早期支払いや、工事材料の早期運搬により、損傷部分の早期修復できることで、問題点を解決している。
【考案の効果】
【０００４】
上述の様に、本考案の災害時のドローン通信システムは、早期に損傷部分を修復することが可能になり、災害による２次被害や経済的・心理的負担を軽減させることに役立つ。
【図面の簡単な説明】
【０００５】
【図１】本考案の災害時のドローン通信システムで、災害時にドローンで建物の損傷部分を撮影する際の俯瞰図である。
【図２】本考案の災害時のドローン通信システムで、災害時にドローンでブルーシートなどの材料を運搬する際の俯瞰図である。
【符号の説明】
【０００６】
１    通信および撮影機能付きドローン
２    スマートフォンやパソコンなどの通信機
３    建物
４    損傷部分
５    ブルーシートなどの材料
【図１】
0003224992.tif 000003
【図２】
0003224992.tif 000004
【手続補正書】
【提出日】令和1年11月21日(2019.11.21)
【手続補正１】
【補正対象書類名】実用新案登録請求の範囲
【補正対象項目名】全文
【補正方法】変更
【補正の内容】
【実用新案登録請求の範囲】
【請求項１】
ドローン会社や損害保険会社や工事会社の連絡先を予め登録されているスマートフォンやパソコンなどの通信機と、
前記通信機の操作で屋根や電柱などの損傷部分を撮影できる通信および撮影機能付きドローンと、
を備えたシステム。
(57)【要約】      （修正有）【課題】竹から生まれる素朴な音色を持ち、身近な素材と手軽な道具で簡単に製造出来ることに加え、竹の太さや長さを変えることで、幅広い調の楽器の製造を可能とした竹製オカリナを提供する。【解決手段】竹の空洞を利用した円筒状の共鳴胴部１と、共鳴胴部の角に設けられた吹口２から共鳴胴部の側面に開口する歌口に向かい、共鳴胴部の側面に沿って形成されたトンネル状の気道を有する笛口部と、共鳴胴部の予め設定された位置に音程に対応して開けられた指孔５ａ〜５ｊと、により構成される竹製オカリナであって、竹の太さや長さを調節して共鳴胴部の容積を変えることにより、幅広い調の楽器の製造を可能とする。【選択図】図１
0003224996.tif 000002
【実用新案登録請求の範囲】
【請求項１】
竹の空洞を利用した円筒状の共鳴胴部と、前記共鳴胴部の角に設けられた吹口から前記共鳴胴部の側面に開口する歌口に向かい、前記共鳴胴部の側面に沿って形成されたトンネル状の気道を有する笛口部と、前記共鳴胴部の予め設定された位置に音程に対応して開けられた指孔と、により構成される竹製オカリナであって、竹の素材から生まれる素朴な音色が出せることを特徴とする竹製オカリナ。
【請求項２】
陶磁製のオカリナのように製造課程で焼成する必要が無く、竹という軽くて丈夫で加工しやすい身近な素材と手軽な道具で、簡単に製造することが出来ることを特徴とする請求項１に記載の竹製オカリナ。
【請求項３】
竹の太さや長さを調節して共鳴胴部の容積を変えることにより、陶磁製のオカリナよりも幅広い調の楽器を製造することができることを特徴とする請求項１または請求項２に記載の竹製オカリナ。
【考案の詳細な説明】
【技術分野】
【０００１】  本考案は、竹から生まれる素朴な音色を持ち、身近な素材と手軽な道具で簡単に製造出来ることに加え、竹の太さや長さを変えたことで、幅広い調の楽器の製造を可能とした竹製オカリナを提供する。
【背景技術】
【０００２】  従来一般の陶磁製のオカリナは、成形型に粘土を入れて成形したものに、粘土が柔らかいうちに笛口の端から歌口に向けて竹ヘラ等を差し込んで気道を形成し、指孔をあけて乾燥させたものを焼き窯で焼成していた。
【考案の概要】
【考案が解決しようとする課題】
【０００３】  従来の陶磁製オカリナは、成形型に粘土を入れて成形したものに、笛口の端から歌口に向けて竹ヘラ等を差し込んで気道を形成するというもので、良質の音色を出すための気道の形成は高度の技術を要する難しい作業であり、粘土が柔らかいうちに製作しなければならないことに加え、乾燥させて焼き窯で焼成しなければならないという手間のかかる物であった。
【課題を解決するための手段】
【０００４】  本考案の竹製オカリナは、竹の空洞を利用した円筒状の共鳴胴部と、共鳴胴部の角に設けられた吹口から共鳴胴部の側面に開口する歌口に向かい、共鳴胴部の側面に沿って形成されたトンネル状の気道を有する笛口部と、共鳴胴部の予め設定された位置に音程に対応して開けられた指孔と、により構成される。
【考案の効果】
【０００５】  本考案の竹製オカリナは、竹の素材から生まれる素朴な音色が出せることに加え、陶磁製のオカリナのように製造課程で焼成する必要が無く、竹という軽くて丈夫で加工しやすい身近な素材と手軽な道具で簡単に製造することが出来、竹の太さや長さを調節して共鳴胴部の容積を変えることにより、陶磁製のオカリナよりも幅広い調の楽器を製造することが出来る。
【図面の簡単な説明】
【０００６】
【図１】竹製オカリナの正面図
【図２】竹製オカリナの背面図
【図３】笛口部の構造（断面図）
【図４】運指表
【考案を実施するための形態】
【０００７】  以下、図面を参照しながら本考案の実施の形態を具体的に説明する。
図１は本考案による竹製オカリナの正面図、図２はその背面図、図３は笛口部の構造を示す断面図、図４は運指表である。
【実施例】
【０００８】  本実施例の竹製オカリナは、竹の空洞を利用した円筒状の共鳴胴部１と、共鳴胴部１の角に設けられた吹口２から共鳴胴部１の側面に開口する歌口３に向かい、共鳴胴部１の側面に沿って形成されたトンネル状の気道４を有する笛口部と、共鳴胴部１の予め設定された位置に音程に対応して開けられた指孔５ａ〜５ｊと、により構成される。【０００９】  図３は笛口部の構造（断面図）で、節でふさがれている側の竹の角を吹口２とし、そこから１５〜２０ｍｍの場所に、直径８０ｍｍの歌口３があり、そこに向かって、吹口２から１，５ｍｍ×８０ｍｍのトンネル状の気道４が掘られていて、吹口２の反対側の歌口３の側面を、吹口２から入った空気が半分は胴部１の内部へ、半分は外に出るようになっている。この時、吹口２の孔からから歌口３をのぞくと、歌口３の側面を削って出来たエッジのラインが、一直線に見えるようになっている。【００１０】  音が出た際に、節で塞がれていないもう一方の部分を塞いで出た音が、この竹製オカリナの主音で、目的の調にするために竹の長さを切って調整した上で、竹の形に合わせて切った５ｍｍ程度の厚さの板を張り付けて塞いでいる。【００１１】  図４の運指表のように、予め設定された位置に音程に対応した指孔が開けられている。この時、Ｃ管の場合、各指孔のうちの全てを塞ぐとドになり、５ａを開けるとレ、５ｂはミ、５ｃはファ、５ｄはソ、５ｅはラ、５ｆはシ、５ｇはド、５ｈはレ、５ｉはミ、そして５ｊを開けると、ファの音が鳴るように指孔が開設されている。【００１２】  この竹製オカリナでは、太さや長さの違う竹を使用し、共鳴胴部１の容積を変えることにより、陶磁製のオカリナよりも幅広い調の楽器を製造することが可能である。ちなみにＣ管の場合は、直径４〜５ｃｍ、長さ８〜１０ｃｍ程度の竹で形成される。
【産業上の利用可能性】
【００１３】  本考案の竹製オカリナは、身近な素材と道具を使って簡単に製造することが出来、軽くて丈夫で、焼成する必要がない上に、素朴な音色と輻広い音域を出すことが出来るので、教育の分野などで、広く活用されることが期待される。
【符号の説明】
【００１４】  １  共鳴胴部
２  吹口
３  歌口
４  気道
５ａ〜５ｊ  指孔
【図１】
0003224996.tif 000003
【図２】
0003224996.tif 000004
【図３】
0003224996.tif 000005
【図４】
0003224996.tif 000006
(57)【要約】      （修正有）【課題】低製作費、低材料費、機能性を充足させながら小型化した財布を提供する。【解決手段】一枚の皮革ないしシート状の物品を折り畳んで留める構造にすることにより、縫製のコストを省く。また可能な限り単純化、小型化することによって、材料費を押さえる。小銭入れ１２０、カード入れ１３０、札入れ１１０は別々の収納として独立させると共に、それぞれに最低限の収納力は担保させることで、機能性をそこなわずに実用性を持たせる。三つ折りの構造とすることで、完成時の縦横サイズを縮小させ、よりコンパクトな財布を実現する。【選択図】図２
0003224908.tif 000002
【実用新案登録請求の範囲】
【請求項１】
一枚の皮革ないしシート状物品を折り曲げることで、小銭入れ、カード入れ、札入れを備え、三つ折りにしうる構造を有する財布。
【請求項２】
札入れ部の蓋を内側に巻き込むことで、開閉時に内容物が脱落することを防ぐ構造の請求項１に記載の財布。
【請求項３】
小銭入れ底部分を差し込み構造にし、前記小銭入れ背面に入れた切れ込みに差し込むことで保持する構造の請求項１又は２に記載の財布。
【考案の詳細な説明】
【技術分野】
【０００１】
本考案は、一枚の皮革ないしシート状の物品を折って留めることにより構成される財布に関する技術である。
【背景技術】
【０００２】
キャッシュレス化へ向かう時代の流れの中、従来型の財布は役割を終えつつある。今後はよりコンパクトで必要最低限の収納を備える財布が主流となることを予想した。前記必要最低限の収納とは、小銭十五枚、国際規格ID−１サイズのカード五枚、紙幣十枚までを無理なく収めるものであると考える。
【０００３】
また、財布の構造もシンプルさを求められると考えた。同時に低価格かつ高品質であることも重要と考えた。
【０００４】
財布の製作は縫製を行うことが一般的であり、これには技術と経験が必要である。すなわち、技術者とそれに見合ったコストが発生する。また、材料においても部品点数が多く、特に天然皮革を素材とした財布の場合、コスト増の大きな原因であった。
【先行技術文献】
【特許文献】
【０００５】
【特許文献１】実登3180002
【考案の概要】
【考案が解決しようとする課題】
【０００６】
高品質を維持しつつ低価格で提供するための、低製作費、低材料費の実現。必要最低限の収納、構造のシンプルさ、機能性、デザイン性をすべて兼ね備えた財布の製造。
【課題を解決するための手段】
【０００７】
低製作費の課題を解決するにもっとも効果的な手段は縫製を行わないことである。本考案では一枚の皮革ないしシート状物品を折り畳んで財布を構成し、縫製は行わない。また、機能性を損なわないよう、小銭入れ、カード入れ、札入れは独立した収納部を擁することとし、それぞれに必要最低限の収納力を持たせた。収納力を必要最低限に絞ることによってサイズを縮小させ、その効果によって材料の使用量を下げた。材料については、単にサイズ縮小による使用量の低減を目指すだけではなく、財布の型を出来るだけ長方形に近づけることで取り効率を高め、ロスを減らす工夫をした。
【考案の効果】
【０００８】
本考案は、一枚の皮革ないしシート状の物品を折って留めるだけで財布を構成することにより、低製作費、構造のシンプルさを実現する。また可能な限り構造の単純化、サイズの縮小を行うことで材料費の圧縮を行うとともに、よりコンパクトな財布となった。それでいて実用に耐えうる収納を備えることは言うまでもない。また、型紙を長方形に近い形に収めることにより、材料の取り効率を高め、ロスを減らすことで材料費を抑制させていることも特徴である。
【図面の簡単な説明】
【０００９】
【図１】図１は財布の折り畳み状態での斜視図である。
【図２】図２は財布を展開した状態での図で、小銭入れ、札入れの蓋を開いた状態である。
【図３】図３は財布を展開した状態での図で、小銭入れ、札入れの蓋を閉じた状態である。
【図４】図４は財布の札入れ側から開いた状態の図である。
【図５】図５は財布を留める金具、差し込みをほどき、全体を展開した状態の図である。
【考案を実施するための形態】
【００１０】
添付図面を参照しながら、本考案を実施するための形態について説明する。
【００１１】
図１は財布１００を折り畳んだ状態であるが、このとき、留め具オス２１０と留め具メス２１１によって閉鎖が維持されている。図１の状態から財布１００を開いて使用するためには、札入れ蓋１１１とカード入れ底蓋１３１にあたる部分をそれぞれ両手の親指で保持し、閉鎖を解除する必要がある。
【００１２】
そのため、自然と手のひらが札入れ蓋１１１を包み込んだ状態が維持され、開いた瞬間に内容物の脱落が起こることを防ぐ。なぜなら、札入れ蓋１１１は小銭入れ蓋１２１に覆いかぶさっており、同時に保持する形となっているからである。このような工夫を設けなかった場合には、小銭入れ１２０の解放された部位を下側にした状態で開いてしまった場合、重力に従って簡単に小銭は落ちて行ってしまう。
【００１３】
小銭入れ１２０は図２を正面とすると左側面で折れ曲がり、右側面で再び折れ曲がって裏に回り込んでいる。回り込みの上部は小銭入れ蓋１２１となっている。小銭入れ底差し込み部１２２は図２における小銭入れ正面部から伸びており、スリット１２３を通して小銭入れ１２０裏側で保持される。この構造には、留め具を使用しないことで厚みを減らす利点と、小銭入れの底に遊びが生まれることで底マチの代わりとなり、上部を開きやすくなって視認性を高める利点がある。小銭入れ蓋１２１は小銭の脱落を防ぐのはもちろんのこと、札入れ１１０に紙幣を収納したときに折れ曲がった紙幣が小銭入れへと被ってくることを防ぐ役割もある。
【００１４】
カード入れ１３０は、図２を正面とすると左側面で折れ曲がり、右側面で再び折れ曲がって裏に回り込んでいる。カード入れ底蓋１３１が下側から覆いかぶさる構造で、カード入れ留め具頭２００とカード入れ留め具ダボ２０１によって保持される。また、カード入れ留め具頭２００同士の幅は、レシートの横幅より若干大きく設計されている。そのため、カード入れ底１３１とカード入れ１３０との隙間に折り畳んだレシートを保持することができる。切符その他を入れて置けるスペースともなることは言うまでもない。
【００１５】
図５に示す通り、財布１００は長方形に近い形の一枚の型によって成り立つ。それによって材料を四角く切り出すことが可能である。材料は主に皮革の使用が想定されるため、四角く切り出せることでロスが低減され、材料費の抑制効果は大である。
【符号の説明】
【００１６】
１００  財布
１１０  札入れ
１１１  札入れ蓋
１２０  小銭入れ
１２１  小銭入れ蓋
１２２  小銭入れ底差し込み部
１２３  スリット
１３０  カード入れ
１３１  カード入れ底蓋
２００  カード入れ留め具頭
２０１  カード入れ留め具ダボ
２１０  留め具オス
２１１  留め具メス
【図１】
0003224908.tif 000003
【図２】
0003224908.tif 000004
【図３】
0003224908.tif 000005
【図４】
0003224908.tif 000006
【図５】
0003224908.tif 000007
(57)【要約】      （修正有）【課題】ハーバリウムの実用的な使い方ができる透明なタンブラーを提供する。【解決手段】外ボトル、中ボトルを有する２重構造になった透明なタンブラーであって、外ボトル３と中ボトル２との間に空間を有し、外ボトルの上端と中ボトルの上端は、パッキン部分の接着剤６を介して固着されており、中ボトルの外表面にはプリザーブドフラワーまたはドライフラワー４が張り付けられ、前記空間にはハーバリウム用オイル５が入っている。【選択図】図１
0003224989.tif 000002
【実用新案登録請求の範囲】
【請求項１】
２重構造になったクリアボトルの中ボトルの外側に接着剤を使い、お花を張り付けて外ボトルに入れるときにハーバリウム用のオイル（シリコンオイル・ミネラルオイル等）や固まるオイル（３Ｄプレミアムオイル）を入れて、まるでハーバリウムのようなクリアボトルを考案しました。
【考案の詳細な説明】
【技術分野】
【０００１】      ２重構造になった透明なタンブラーを使い、まるでハーバリウムのようなクリアボトルに仕上げました。
【背景技術】
【０００２】      今までのクリアボトルに挟むものは紙に印刷した柄が主体であった。前項苦的人気となったハーバリウムを実用的にできないかと考えた結果、ハーバリウムクリアボトルができた。入れるお花の選び方やオイルが漏れないように考案した。
【考案の概要】
【考案が解決しようとする課題】
【０００３】      水分補給と同時にハーバリウムを眺められるという癒し効果が期待できる。
【課題を解決するための手段】
【０００４】      水分補給と同時にハーバリウムを眺められるという癒し効果が期待できる。
【考案の効果】
【０００５】    水分補給ができると同時にボトルを持っていると常に綺麗なお花達を眺めることができ癒される。
【図面の簡単な説明】
【０００６】
【図１】クリアボトルの外ボトルから中ボトルを外した状態と完成図
【考案を実施するための形態】
【０００６】２重構造になったクリアボトルの中ボトルの外側に接着剤を使い、お花（プリザーブドフラワーやドライフラワー）を張り付け、外ボトルに入れるときにハーバリウム用のオイル（シリコンオイル・ミネラルオイル等）や固まるオイル（３Ｄプレミアムオイル）どちらかを入れて、まるでハーバリウムのようなクリアボトルに仕上げました。
中ボトルが開いてこないよう接着剤で止めました。
【実施例】
【０００７】    以下、添付部面に従って１実地例を説明する。１蓋と取り外す。２中ボトルを取り出し、２中ボトルの外側に接着剤を使って４ドライフラワーやプリザーブドフラワーを張り付けていく。３外ボトルに２中ボトルが入っても溢れないようにオイルの量を調節する。２中ボトルのパッキン部分に接着剤をつけて３外ボトルから外れないように接着する。オイルが漏れない為。２中ボトルを入れた状態で５オイルの量は蓋より１ＣＭ〜１．５ＣＭくらいの位置に来るように調節している。５オイルについては固まるオイルを推奨しているが、ハーバリウム専用オイルでも大丈夫である。
【産業上の利用可能性】
【符号の説明】
【０００８】    １．蓋
２．中ボトル
３．外ボトル
４．プリザーブドフラワー・ドライフラワー
５．固まるオイルまたはハーバリウム専用オイル
６．接着剤
【図１】
0003224989.tif 000003
【手続補正書】
【提出日】令和1年10月30日(2019.10.30)
【手続補正１】
【補正対象書類名】実用新案登録請求の範囲
【補正対象項目名】全文
【補正方法】変更
【補正の内容】
【実用新案登録請求の範囲】
【請求項１】
外ボトル、中ボトルを有する２重構造になった透明なタンブラーであって、前記タンブラーは前記外ボトルと前記中ボトルとの間に空間を有し、前記外ボトルの上端と前記中ボトルの上端は、パッキンを介して固着されており、前記中ボトルの外表面にはプリザーブドフラワーまたはドライフラワーが張り付けられており、前記空間にはハーバリウム用オイルが入っている、ことを特徴とする、２重構造になった透明のタンブラー。
(57)【要約】      （修正有）【課題】胸を痛めることがない物品である車運転シートベルトを提供する。【解決手段】綿を入れたフェルト１布地のクッションを、シートベルト２に取り付け、鎖骨や胸真ん中など好きな場所に当て、胸にシートベルトが当たらないように使用し、車を運転する際に、シートベルトで胸を痛めることがないように、日常、運転し易くすること。【選択図】図１
0003224990.tif 000002
【実用新案登録請求の範囲】
【請求項１】
胸に痛みのある人が、車を運転する際に、シートベルトで胸を痛めることがないように、日常、運転し易くすることを特徴とした物品である。
【考案の詳細な説明】
【技術分野】
【０００１】  本考案は、車を運転する際、胸痛を起してる人がシートベルトで胸を痛めることがないよう、胸を保護するための物品である。【０００２】  車運転時、シートベルトで胸を痛めず、運転したい。
【考案の開示】
【考案が解決しようとする課題】
【０００３】  車運転時、シートベルトの締め付けで、胸を痛めず運転したい。運転しづらさを解消したい。
【課題を解決するための手段】
【０００４】  本考案は、胸にシートベルトが当たらない程度に、シートベルトと胸の距離をあけ、胸を保護する事で、問題が解決する。
【考案の効果】
【０００５】  胸の痛みを気にせず、車運転がしやすくなる。
【図面の簡単な説明】
【図１】
【図２】
【図３】
【符号の説明】
【０００６】１  フェルト、綿
２  ベルト
３  マジックテープ
４  すべり止めゴム
【図１】
0003224990.tif 000003
【図２】
0003224990.tif 000004
【図３】
0003224990.tif 000005
【手続補正書】
【提出日】令和1年11月7日(2019.11.7)
【手続補正１】
【補正対象書類名】実用新案登録請求の範囲
【補正対象項目名】全文
【補正方法】変更
【補正の内容】
【実用新案登録請求の範囲】
【請求項１】
綿を入れたフェルト布地のクッションを、シートベルトに取り付け、鎖骨や胸真ん中など好きな場所に当て、胸にシートベルトが当たらないように使用し、車を運転する際に、シートベルトで胸を痛めることがないように、日常、運転し易くすることを特徴とした物品。
【手続補正２】
【補正対象書類名】明細書
【補正対象項目名】全文
【補正方法】変更
【補正の内容】
【考案の詳細な説明】
【技術分野】
【０００１】  本考案は、車を運転する際、胸痛を起している人がシートベルトで胸を痛めることがないよう、胸を保護するための物品である。【０００２】  車運転時、シートベルトで胸を痛めず、運転したい。
【考案の開示】
【考案が解決しようとする課題】
【０００３】  車運転時のシートベルトの締め付け胸痛の運転しづらさを解消したい。
【課題を解決するための手段】
【０００４】  本考案は、胸にシートベルトが当たらない程度に、シートベルトと胸の距離を開け、胸を保護する事で、問題が解決する。
【考案の効果】
【０００５】  胸の痛みを気にせず、車の運転がしやすくなる。
【図面の簡単な説明】
【図１】綿を入れたフェルト布地のクッション
【図２】高さは、１０ｃｍ以上にする。
【図３】鎖骨や胸真ん中など、好きな場所に着けて使用する。
【符号の説明】
【０００７】  １  フェルト、綿
２  ベルト
３  面ファスナ
４  すべり止めゴム
(57)【要約】      （修正有）【課題】ラッシングレールに装着する簡単なフックを固着する係合金具を提供する。【解決手段】係合金具１の係合する反対部分にフック２を固着部分３させる、又係合金具の縦孔にフックをとりつける、この２つの方法によりラッシングレーンに簡単に装着できる。【選択図】図１
0003224965.tif 000002
【実用新案登録請求の範囲】
【請求項１】
トラックのバンタイプ、ウィングタイプの荷台側壁に取り付けてあるラッシングレールに着脱させる係合金具（１）の係合部分の反対側に縦方向にフック（２）を固着（３）することを特徴とする係合金具
【請求項２】
前期係合金具（１）の縦孔（４）にフック（２）を取り付ける事を特徴とする係合金具
【考案の詳細な説明】
【技術分野】
【０００１】  本考案は、係合金具部分にフック部分を取り付けて係合装置として利用することに関するものである、係合金具はラッシングベルトの端末に取り付けてあるものと同じ物でありフックと一体にする為にラッシングベルトとは関係なく用意する。
【背景技術】
【０００２】  トラックのバンタイプ、ウイングタイプの荷台の内壁を利用して、使用しないラッシングベルトとかロープとかを吊り下げる所が無かった。
【考案概要】
【考案が解決しようとする課題】
【０００３】    内壁に装着されているラッシングレールの係合孔に市販されている様々なフックを取り付けても外れ易かった。
【課題を解決するための手段】
【０００４】  本考案は、係合金具にフックを溶接などで固着させたり、係合金具の縦孔にフックをとりつけたりしてラッシングレールの係合孔に係合金具を着脱自在に取り付ける。
【考案の効果】
【０００５】  上述の様に、本考案の係合金具付きフックは外れる事がない、又移動が簡単である。
【図面の簡単な説明】
【０００６】
【図１】係合金具とフックの固着状態を表す斜視図
【図２】係合金具の縦孔を利用してフックを取り付けた斜視図
【考案を実施するための形態】
【０００７】  トラック内部の両側壁にはラッシングベルトを取り行けるラッシングレーンとショーリングバーを取り付ける延長用ラッシングレーンが大部分のトラックに装備されています、ラッシグベルト、ショーリングバーを取り付けるラッシングレーンには係合孔が付いておりラッシングベルト、ショーリングバーの係合金具を係合孔に装着します、
本考案は係合金具にフックを取り付けたもので簡単にラッシングレーンに取り付ける事ができます。
【実施例】
【０００８】  以下、添付図面に従って実施例を説明する。１係合金具は２フックを係合金具の反対側面に３固着させる、又１係合金具の４縦孔に２フックを取り付ける。
【符号の説明】
【０００９】１  係合金具
２  フック
３  固着部分
４  縦孔
【図１】
0003224965.tif 000003
【図２】
0003224965.tif 000004
(57)【要約】      （修正有）【課題】消防団員が着用する消防半纏に難燃性と高視認性を付与し、着用者の安全性及び活動性を高め、その外観を含めて消防団員の予防・啓発活動に寄与する簡易型ベストを提供する。【解決手段】本体に難燃性生地と蓄光性材料及び反射性材料を採用し、後ろ身頃中央に消防半纏の特長である様々な文様７を印刷して、伝統的な消防半纏の外観を維持しながら、難燃性と軽量化及び高視認性を実現する。【選択図】図２
0003224964.tif 000002
【実用新案登録請求の範囲】
【請求項１】
難燃性素材で構成する軽量且つ袖なしの消防半纏を模した簡易ベスト。
【請求項２】
背面に消防半纏の特長である文様を備え、前後に高視認性素材で構成する部位を有する消防半纏を模した簡易ベスト。
【考案の詳細な説明】
【技術分野】
【０００１】本考案は、消防半纏形状の簡易的上衣に関するものである
【背景技術】
【０００２】江戸時代より火消しが着用していた刺子半纏から発展した消防半纏は、水を被って消火活動を行っていたことから吸水性の高い木綿等を素材として、延焼物から身を守る為に刺子などの丈夫な素材が使用されていたが、建築物の構造や出火原因、可燃物の変化に伴い、吸水により生地が重くなり、広い袖は迅速な消火活動を阻害するという欠点があった。【０００３】このため、近年の火災現場において消防団員が着用する防火衣は、耐熱性素材の採用等により、この問題を解決している（例えば、特許文献１、特許文献２、特許文献３）。【０００４】前述の防火衣は、素材に蓄光材料や反射材料を採用して夜間の活動における視認性を高めている（例えば、特許文献４、特許文献５）。しかしながら、耐熱性に加え高機能素材を採用することにより、防火衣は高額となり、準公務員である消防団員への普及の障害となっている。【０００５】他方、消防半纏は、江戸時代から続く日本の伝統的衣装として、消防団員の平時における主な活動である火災予防・広報活動（参考文献１）において広く使用されている。しかしながら、文化遺産としての背景から、活動性や機能性に関する課題は改良されず現在に至っている。【０００６】
【特許文献１】特開２０１９−１５７２９９号公報
【特許文献２】特開２０１９−０６９６１４号公報
【特許文献３】特開２０１９−６０２４号公報
【特許文献４】特開２０１５−０９４０５６号公報
【特許文献５】実用新案登録第３１７１９５７号公報参考文献１  総務省消防庁ホームページ
ｈｔｔｐｓ：／／ｗｗｗ．ｆｄｍａ．ｇｏ．ｊｐ／ｒｅｌｏｃａｔｉｏｎ／ｓｙｏｂｏｄａｎ／ａｂｏｕｔ／
【考案の開示】
【考案が解決しようとする課題】
【０００７】本考案は、消防団員の火災予防・広報活動等において市民からの視認性を高め、消防の伝統的文化を踏襲して防災の啓発に寄与する、安価で活動性の高い消防半纏を模した簡易的上衣を提供することを目的とする。
【課題を解決するための手段】
【０００８】上記目的を達成する本考案は、平服に重ね着可能な装着性と作業性、難燃性及び、昼夜における高視認性を備える。
【図面の簡単な説明】
【０００９】
【図１】本考案に係る消防半纏型簡易ベストの正面図である
【図２】本考案に係る消防半纏型簡易ベストの背面図である
【考案を実施するための形態】
【００１０】図１、２は本考案に係る消防半纏型簡易ベストの説明に供する図である。
【実施例１】
【００１１】図１に示す本考案の本体１は、難燃性生地により構成する袖のない軽量形状で、平服に重ね着して着用する簡便性を有する。難燃性生地は、従来から採用されているものを使用することができる。
【実施例２】
【００１２】図１に示す本考案の本体１は、開襟部３および胴回りに再帰反射型の反射テープ材４を縫合して、光の照射により反射する蓄光性反射材で構成して高視認性を確保し、胴回りに縫合する反射テープ材４の両端は面ファスナー５により着脱及びサイズ調整が可能な構造とする。
【実施例３】
【００１３】図２に示す本考案の本体１ａは、後ろ身頃中央に消防半纏の特長である様々な文様７を印刷し、蓄光性生地による布片８、布片９、布片１０とともに、伝統的な消防半纏の外観を構成する。
【産業上の利用可能性】
【００１４】本考案は、消防半纏型簡易ベストを製造する産業で利用される。【００１５】尚、実施例や図面に拘わらず、本体寸法や文様の種類は請求の範囲内にて様々な態様が構成されるものである。
【符号の説明】
【００１６】１    本体
１ａ  背面
２    袖周り
３    開襟部
４    胴回り
４ａ  背面胴回り
５    面ファスナー
６    開襟部の内ポケット
７    文様大
８    布片
９    布片
１０  布片
【図１】
0003224964.tif 000003
【図２】
0003224964.tif 000004